(57)【要約】【課題】テレビジョン受像機にて印刷の設定を確認する。【解決手段】  テレビジョン受像機は、（Ａ）映像信号に対応した映像を表示する映像表示部と、（Ｂ）画像を印刷する印刷装置と通信する通信部と、（Ｃ）放送設備からのコンテンツ信号に基づいて対応するコンテンツの映像信号を生成し、生成した映像信号を前記映像表示部へ出力するコントローラとを有する。（Ｄ）前記コントローラは、前記印刷装置によってなされる印刷に関連する印刷関連情報であって前記コンテンツ信号に対応して前記放送設備から送信された印刷関連情報に基づいて、印刷の設定確認用の映像信号を前記映像表示部へ出力する。【選択図】図３
2009049710.tif 000002
【特許請求の範囲】
【請求項１】
（Ａ）映像信号に対応した映像を表示する映像表示部と、
（Ｂ）画像を印刷する印刷装置と通信する通信部と、
（Ｃ）放送設備からのコンテンツ信号に基づいて対応するコンテンツの映像信号を生成し、生成した映像信号を前記映像表示部へ出力するコントローラとを有し、
（Ｄ）前記コントローラは、
前記印刷装置によってなされる印刷に関連する印刷関連情報であって前記コンテンツ信号に対応して前記放送設備から送信された印刷関連情報に基づいて、印刷の設定確認用の映像信号を前記映像表示部へ出力する、テレビジョン受像機。
【請求項２】
請求項１に記載のテレビジョン受像機であって、
前記設定確認用の映像信号は、
前記印刷装置で用いられる用紙のサイズ又は種類の少なくとも一方を含んだ設定内容映像を、前記映像表示部に表示させるものである、テレビジョン受像機。
【請求項３】
請求項２に記載のテレビジョン受像機であって、
印刷で用いられる用紙のサイズを示す用紙サイズ情報又は印刷で用いられる用紙の種類を示す用紙種類情報の少なくとも一方が記憶された印刷設定記憶部を有し、
前記コントローラは、
前記用紙サイズ情報又は前記用紙種類情報の少なくとも一方を前記印刷設定記憶部から読み出し、前記設定確認用の映像信号を生成する、テレビジョン受像機。
【請求項４】
請求項２又は請求項３に記載のテレビジョン受像機であって、
前記設定確認用の映像信号は、
設定の変更要求を示す変更要求映像を、前記設定内容映像とともに前記映像表示部に表示させるものであり、
前記コントローラは、
前記変更要求映像が選択されたことを示す操作信号に基づいて、前記用紙サイズ情報又は前記用紙種類情報の少なくとも一方を変更するための変更処理を行う、テレビジョン受像機。
【請求項５】
請求項４に記載のテレビジョン受像機であって、
前記変更要求映像は、
前記変更処理に用いられる映像をも含む、テレビジョン受像機。
【請求項６】
請求項４に記載のテレビジョン受像機であって、
前記コントローラは、
前記変更要求映像が選択されたことを示す操作信号に基づいて、前記変更処理用の映像信号を前記映像表示部へ出力する、テレビジョン受像機。
【請求項７】
請求項１から請求項６の何れかに記載のテレビジョン受像機であって、
前記印刷関連情報は、
前記印刷装置で印刷可能な情報を前記対応するコンテンツが有する旨の情報である、テレビジョン受像機。
【請求項８】
請求項１から請求項６の何れかに記載のテレビジョン受像機であって、
前記印刷関連情報は、
前記通信部と前記印刷装置とが通信可能な状態であるかを確認させるための指令である、テレビジョン受像機。
【請求項９】
請求項８に記載のテレビジョン受像機であって、
前記コントローラは、
前記通信部と前記印刷装置とが通信可能な状態ではない場合に、その旨を示す警告用の映像を前記映像表示部に表示させるための警告用映像信号を、前記映像表示部へ出力する、テレビジョン受像機。
【請求項１０】
請求項９に記載のテレビジョン受像機であって、
前記警告用の映像は、
設定確認用の映像に代えて前記映像表示部にて表示される、テレビジョン受像機。
【請求項１１】
（Ａ）放送設備からのコンテンツ信号に基づいて、対応する映像を映像表示部に表示させること、
（Ｂ）通信部を介して通信可能に接続される印刷装置での印刷に関連する印刷関連情報が、前記コンテンツ信号に対応して前記放送設備から送信された場合に、印刷の設定確認用の映像を前記映像表示部に表示させること、
（Ｃ）を有する、テレビジョン受像機における、印刷の設定確認用映像の表示方法。
【発明の詳細な説明】
【技術分野】
【０００１】
本発明は、テレビジョン受像機、及び、印刷の設定確認用映像の表示方法に関する。
【背景技術】
【０００２】
テレビジョン受像機には、放送設備から送信された信号に基づき、コンテンツ等の映像を表示したり、必要な情報をプリンタに印刷させたりするものがある。このようなテレビジョン受像機では、印刷実行の指示が与えられると、印刷を行わせるためのデータがプリンタに送信される。
【発明の開示】
【発明が解決しようとする課題】
【０００３】
前述のテレビジョン受像機では、印刷実行の指示を認識するとプリンタに印刷動作を行わせるため、視聴者は印刷の設定を確認することができないという問題があった。
【０００４】
本発明は、このような事情に鑑みてなされたものであり、その目的は、印刷の設定を確認できるようにすることにある。
【課題を解決するための手段】
【０００５】
前記目的を達成するための主たる発明は、
（Ａ）映像信号に対応した映像を表示する映像表示部と、
（Ｂ）画像を印刷する印刷装置と通信する通信部と、
（Ｃ）放送設備からのコンテンツ信号に基づいて対応するコンテンツの映像信号を生成し、生成した映像信号を前記映像表示部へ出力するコントローラとを有し、
（Ｄ）前記コントローラは、
前記印刷装置によってなされる印刷に関連する印刷関連情報であって前記コンテンツ信号に対応して前記放送設備から送信された印刷関連情報に基づいて、印刷の設定確認用の映像信号を前記映像表示部へ出力する、テレビジョン受像機である。
【０００６】
本発明の他の特徴は、本明細書、及び添付図面の記載により、明らかにする。
【発明を実施するための最良の形態】
【０００７】
本明細書の記載、及び添付図面の記載により、少なくとも次のことが明らかにされる。
【０００８】
すなわち、（Ａ）映像信号に対応した映像を表示する映像表示部と、（Ｂ）画像を印刷する印刷装置と通信する通信部と、（Ｃ）放送設備からのコンテンツ信号に基づいて対応するコンテンツの映像信号を生成し、生成した映像信号を前記映像表示部へ出力するコントローラとを有し、（Ｄ）前記コントローラは、前記印刷装置によってなされる印刷に関連する印刷関連情報であって前記コンテンツ信号に対応して前記放送設備から送信された印刷関連情報に基づいて、印刷の設定確認用の映像信号を前記映像表示部へ出力する、テレビジョン受像機を実現できることが明らかにされる。  
このようなテレビジョン受像機によれば、印刷の設定を確認することができる。
【０００９】
かかるテレビジョン受像機であって、前記設定確認用の映像信号は、前記印刷装置で用いられる用紙のサイズ又は種類の少なくとも一方を含んだ設定内容映像を、前記映像表示部に表示させるものであることが好ましい。  
このようなテレビジョン受像機によれば、用紙のサイズ又は種類の少なくとも一方を印刷前に確認できるので、使い勝手の向上が図れる。
【００１０】
かかるテレビジョン受像機であって、印刷で用いられる用紙のサイズを示す用紙サイズ情報又は印刷で用いられる用紙の種類を示す用紙種類情報の少なくとも一方が記憶された印刷設定記憶部を有し、前記コントローラは、前記用紙サイズ情報又は前記用紙種類情報の少なくとも一方を前記印刷設定記憶部から読み出し、前記設定確認用の映像信号を生成することが好ましい。  
このようなテレビジョン受像機によれば、印刷設定記憶部に記憶された情報を確認できるので、使い勝手の向上が図れる。
【００１１】
かかるテレビジョン受像機であって、前記設定確認用の映像信号は、設定の変更要求を示す変更要求映像を、前記設定内容映像とともに前記映像表示部に表示させるものであり、前記コントローラは、前記変更要求映像が選択されたことを示す操作信号に基づいて、前記用紙サイズ情報又は前記用紙種類情報の少なくとも一方を変更するための変更処理を行うことが好ましい。  
このようなテレビジョン受像機によれば、設定の確認に連動させて設定の変更を行えるので、使い勝手の向上が図れる。
【００１２】
かかるテレビジョン受像機であって、前記変更要求映像は、前記変更処理に用いられる映像をも含むことが好ましい。  
このようなテレビジョン受像機によれば、設定の変更を速やかに行えるので、使い勝手の向上が図れる。
【００１３】
かかるテレビジョン受像機であって、前記コントローラは、前記変更要求映像が選択されたことを示す操作信号に基づいて、前記変更処理用の映像信号を前記映像表示部へ出力することが好ましい。  
このようなテレビジョン受像機によれば、変更要求映像に基づく操作に応じて、変更処理用の映像が表示されるので、映像表示部の表示領域を有効に使用することができる。
【００１４】
かかるテレビジョン受像機であって、前記印刷関連情報は、前記印刷装置で印刷可能な情報を前記対応するコンテンツが有する旨の情報であることが好ましい。また、前記印刷関連情報は、前記通信部と前記印刷装置とが通信可能な状態であるかを確認させるための指令であることが好ましい。
【００１５】
かかるテレビジョン受像機であって、前記コントローラは、前記通信部と前記印刷装置とが通信可能な状態ではない場合に、その旨を示す警告用の映像を前記映像表示部に表示させるための警告用映像信号を、前記映像表示部へ出力することが好ましい。  
このようなテレビジョン受像機によれば、通信部と印刷装置とが通信可能な状態ではないことを、報知することができる。
【００１６】
かかるテレビジョン受像機であって、前記警告用の映像は、設定確認用の映像に代えて前記映像表示部にて表示されることが好ましい。  
このようなテレビジョン受像機によれば、映像表示部の表示領域を有効に使用することができる。
【００１７】
また、次の設定確認用映像の表示方法を実現できることも明らかにされる。  
すなわち、（Ａ）放送設備からのコンテンツ信号に基づいて、対応する映像を映像表示部に表示させること、（Ｂ）通信部を介して通信可能に接続される印刷装置での印刷に関連する印刷関連情報が、前記コンテンツ信号に対応して前記放送設備から送信された場合に、印刷の設定確認用の映像を前記映像表示部に表示させること、（Ｃ）を有する、テレビジョン受像機における、印刷の設定確認用映像の表示方法を実現できることも明らかにされる。
【００１８】
＝＝＝第１実施形態＝＝＝
＜システム構成について＞
図１は、コンテンツ情報の印刷システム、及び、印刷システムに関連する周辺部を説明するブロック図である。この印刷システムは、テレビジョン受像機１０と、プリンタ２０と、サーバー３０とを有する。なお、コンテンツ情報とは、テレビジョン受像機１０で表示されるコンテンツ（例えば番組）に関連する情報である。コンテンツが料理番組の場合、コンテンツ情報は、例えば料理のレシピである。また、コンテンツが旅行番組の場合、コンテンツ情報は、例えば番組内で紹介された宿の住所、連絡先、及び、地図である。
【００１９】
＜テレビジョン受像機１０について＞
テレビジョン受像機１０は、放送局（後述する。）から送信されたコンテンツ信号に基づき、対応するコンテンツの映像を表示する。このテレビジョン受像機１０は、映像表示部１１と、音声出力部１２と、テレビ側コントローラ１３と、通信部１４とを有する。映像表示部１１は、コンテンツの映像を表示する部分であり、例えば液晶ディスプレイ、プラズマディスプレイ、或いは、ブラウン管を有する。音声出力部１２は、コンテンツの映像に対応した音声を出力する部分であり、例えばアンプ及びスピーカを有する。テレビ側コントローラ１３は、テレビジョン受像機１０における各種の制御を行う部分であり、ＣＰＵ１３ａとメモリ１３ｂとを有する。ＣＰＵ１３ａは、制御の中心部分であり、コンピュータプログラムに従って各種の制御を行う。メモリ１３ｂは、ＣＰＵ１３ａが使用するコンピュータプログラムを格納する領域や作業領域等を確保する。このテレビ側コントローラ１３は、例えば、受信部ＲＶで受信された放送局からのコンテンツ信号に基づき、対応するコンテンツの映像信号を生成し、生成した映像信号を映像表示部１１へ出力する。これにより、コンテンツの映像が映像表示部１１にて表示される。また、テレビ側コントローラ１３は、コンテンツ信号に基づき、対応するコンテンツの音声信号を生成し、生成した音声信号を音声出力部１２へ出力する。これにより、コンテンツの音声が音声出力部１２から出力される。通信部１４は、プリンタ２０やルーターＲＴとの間で通信を行う部分である。プリンタ２０との間では、印刷に関するデータの送受信を行う。また、ルーターＲＴとの間では、サーバー３０へ送信するデータやサーバー３０から送信されるデータの送受信を行う。なお、プリンタ２０との間、及び、ルーターＲＴとの間の通信方式は、種々のものを用いることができる。例えば、ＵＳＢによる通信やＬＡＮによる通信を用いることができる。
【００２０】
＜プリンタ２０について＞
プリンタ２０は用紙に画像を印刷するものであり、印刷装置の一種である。プリンタ２０としては、種々の方式のものが適用できる。この実施形態では、インクジェットプリンタ２０が用いられている。プリンタ２０は、通信部２１と、プリンタ側コントローラ２２と、プリントエンジン２３とを有する。通信部２１は、テレビジョン受像機１０が有する通信部１４との間で通信を行う部分である。すなわち、印刷に関連するデータの送受信を行う。プリンタ側コントローラ２２は、プリンタ２０における全体的な制御を行う。すなわち、プリントエンジン２３を制御する。プリントエンジン２３は、媒体としての用紙Ｓ（図４を参照。）に対する印刷を行う部分である。プリントエンジン２３は、例えば、用紙Ｓを搬送する用紙搬送機構と、インクジェットヘッドを備えたヘッドユニットと、ヘッドユニット等が取り付けられるキャリッジと、キャリッジを移動させるキャリッジ移動機構と、ヘッド用の駆動信号を生成する駆動信号生成回路とを有する（何れも図示せず）。
【００２１】
＜サーバー３０について＞
サーバー３０には、コンテンツ情報をプリンタ２０に印刷させるための印刷ファイルが記憶される。このサーバー３０は、サーバー側コントローラ３１と、通信部３２とを有する。サーバー側コントローラ３１は、サーバー３０における各種の制御を行う部分であり、ＣＰＵ３１ａとメモリ３１ｂとを有する。ＣＰＵ３１ａは、制御の中心部分であり、コンピュータプログラムに従って各種の制御を行う。メモリ３１ｂは、ＣＰＵ３１ａが使用するコンピュータプログラムを格納する領域や作業領域等を確保する。コンテンツ情報の印刷ファイルは、このメモリに記憶されている。通信部３２は、ネットワークＮＷとの間で通信を行う。これにより、このネットワークＮＷを介して接続される他の機器（例えば、プリンタ２０やテレビジョン受像機１０）との間でデータの送受信が行える。
【００２２】
＜放送局ＢＣについて＞
放送局ＢＣは、放送設備の一種であり、コンテンツ信号を送信する。また、コンテンツ信号に対応してプリンタ２０でなされる印刷に関連する情報（印刷関連情報）も送信する。コンテンツ信号は、テレビジョン受像機１０にコンテンツを表示させるための信号であり、無線（例えば電波）で送信してもよいし、有線で送信してもよい。印刷関連情報は、例えば、プリンタ２０に対する制御を規定する印刷関連スクリプトである。放送局ＢＣから送信されたコンテンツ信号や印刷関連情報は、受信部ＲＶで受信されてテレビ側コントローラ１３へ出力される。なお、図１の例において、放送局ＢＣは、コンテンツ信号等を電波で送信している。このため、受信部ＲＶは、電波を受信するアンテナを有する。なお、放送設備は、放送局ＢＣに限定されるものではない。例えば、放送用中継局や中継器も放送設備に含まれる。
【００２３】
＝＝＝動作について＝＝＝
次に、印刷システムの動作について説明する。この印刷システムの特徴は、表示対象のコンテンツにプリンタ２０で印刷可能な情報が含まれている場合、印刷の設定を確認するための設定確認用の映像を、映像表示部１１にて表示する点にある。簡単に説明すると、テレビ側コントローラ１３は、印刷関連スクリプトの中にプリンタ２０の通信が可能な状態であるか否かを確認する確認コマンド（確認指令）が含まれていた場合、プリンタ２０に対して接続確認の問い合わせを行う。そして、回答がプリンタ２０からあった場合、テレビ側コントローラ１３は、プリンタ２０との間で通信が可能な状態であると判断して、印刷の実行を意味する印刷ボタンの映像を表示させるとともに、用紙Ｓの大きさ及び種類（印刷設定に相当する。）を示す映像を表示させる。以下、この点を中心に、印刷システムの動作を説明する。
【００２４】
図２は、印刷システムの動作を説明する図である。図２に示すように、放送局ＢＣは、コンテンツ信号を繰り返し送信する（Ｓ１１）。このコンテンツ信号は、受信部ＲＶで受信されてテレビジョン受像機１０へ出力される。テレビ側コントローラ１３は、受信したコンテンツ信号に基づいて映像信号や音声信号を生成する。映像表示部１１は、生成された映像信号に基づく映像を表示し、音声出力部１２は、生成された音声信号に基づく音声を出力する（Ｓ１２）。これにより、視聴者はコンテンツを視聴できる。この例において、これらのステップＳ１１及びＳ１２で扱われるコンテンツには、印刷の対象となる情報は含まれていない。このため、ステップＳ１２で表示される映像は、コンテンツのみの映像となる。ここで、図３Ａは、通常のコンテンツにおける表示映像の例を説明する図である。この例では風景の映像ＩＭ１のみが表示されている。
【００２５】
印刷される情報を含んだコンテンツを扱う場合、放送局ＢＣは、コンテンツ信号に対応させて印刷関連スクリプトを送信する（Ｓ１３）。この例における印刷関連スクリプトは、プリンタ２０との通信状態を確認するための確認コマンドを含んでいる。テレビ側コントローラ１３は、コンテンツ信号の受信に基づき、対応するコンテンツの映像信号や音声信号を出力する。映像表示部１１は映像信号に基づく映像を表示し、音声出力部１２は音声信号に基づく映像を出力する（Ｓ１４）。このとき、テレビ側コントローラ１３は、印刷関連スクリプトを実行する。そして、印刷関連スクリプトに含まれる確認コマンドに基づき、プリンタ２０に対して問い合わせを行う（Ｓ１５）。この問い合わせを受信したプリンタ側コントローラ２２は、テレビジョン受像機１０に回答を出力する（Ｓ１６）。この回答に基づき、テレビ側コントローラ１３は、プリンタ２０が通信可能な状態で接続されていると認識する。
【００２６】
ここで、テレビジョン受像機１０とプリンタ２０とが通信可能な状態で接続されていなかった場合、プリンタ２０は確認コマンドを認識できず、回答を送信できない。このため、テレビ側コントローラ１３は、確認コマンドの送信後から所定時間内にプリンタ２０からの回答を受信した場合に、プリンタ２０が通信可能な状態で接続されていると判断する。一方、確認コマンドの送信後から所定時間が経過してもプリンタ２０からの回答が受信できなかった場合に、プリンタ２０は通信可能な状態で接続されていないと判断する。
【００２７】
テレビ側コントローラ１３は、プリンタ２０からの回答を認識すると、印刷ボタンの映像と印刷の設定を示す設定内容の映像とを、映像表示部１１に表示させる（Ｓ１７）。言い換えれば、印刷ボタンと設定内容の映像信号を生成し、生成した映像信号を映像表示部１１へ出力する。ここで、印刷ボタンの映像及び設定内容映像は、コンテンツの映像と共に表示される。図３Ｂに示す例では、表示領域における左半部分には、コンテンツの映像である温泉における宿泊施設の外観の映像ＩＭ２と連絡先の映像ＩＭ３とが表示されている。また、表示領域における右半部分には、コンテンツの映像である最寄り駅からの地図の映像ＩＭ４が表示されている。そして、印刷ボタンの映像ＩＭ５及び設定内容映像ＩＭ６は、映像表示部１１の表示領域における空き部分に表示される。すなわち、地図映像ＩＭ４よりも下側の部分に空き部分があるので、この空き部分に印刷ボタンの映像ＩＭ５及び設定内容映像ＩＭ６が表示されている。
【００２８】
印刷ボタンの映像ＩＭ５は、２つの役割を有する。１つ目の役割は、表示中のコンテンツに印刷情報が存在する旨の報知である。２つ目の役割は、リモコンや操作部等で印刷を指示する操作がなされた旨の報知である。例えば、印刷を指示する操作がなされた場合、印刷ボタンの映像ＩＭ５は色を変化させる等して、その旨を報知する。
【００２９】
設定内容映像ＩＭ６は、例えば用紙サイズや用紙種類を示す映像である。図３Ｂの例では、Ａ４サイズの普通紙が設定されていることを示している。なお、設定内容として、印刷モードといった他の情報を用いてもよい。また、印刷のプレビュー画像を付加的に表示してもよい。ここで、設定内容を示す情報（印刷設定情報）、すなわち印刷で用いられる用紙Ｓのサイズを示す用紙サイズ情報や、印刷で用いられる用紙Ｓの種類を示す用紙種類情報は、例えばテレビ側コントローラ１３が有するメモリ１３ｂの一部領域に格納される。このため、メモリ１３ｂの当該部分は、印刷設定記憶部に相当する。この場合、ＣＰＵ１３ａは、プリンタ２０からの回答に基づいて設定内容の情報（用紙サイズ情報と用紙種類情報の少なくとも一方）をメモリ１３ｂから読み出し、生成した映像信号を映像表示部１１へ出力する。
【００３０】
コンテンツの映像ＩＭ１〜ＩＭ４に関し、その表示領域の情報は、放送局ＢＣから送信されるスクリプトで定められる。このため、テレビ側コントローラ１３は、このスクリプトに基づいてコンテンツの映像ＩＭ１〜ＩＭ４が表示される領域とされない領域とを認識できる。そこで、テレビ側コントローラ１３は、コンテンツの映像ＩＭ１〜ＩＭ４が表示されない領域を空き部分として、印刷ボタンの映像ＩＭ５及び設定内容映像ＩＭ６を表示する。これにより、コンテンツの表示が隠れてしまうことを防止しつつ、設定内容を表示できる。
【００３１】
印刷の指示が認識されると（Ｓ１８）、テレビ側コントローラ１３は、プリンタ２０に対してＵＲＬ情報を送信する（Ｓ１９）。ＵＲＬ情報とは、印刷用ファイルの所在を示す情報である。このＵＲＬ情報を受信したプリンタ２０は、ＵＲＬ情報で示されるアドレスへアクセスして印刷用ファイルを取得する（Ｓ２１）。この例では、サーバー３０のメモリ３１ｂに記憶された印刷用ファイルを取得する。そして、取得した印刷用ファイルに従って情報を印刷する。例えば図４に示すように、温泉に関する情報として、連絡先と地図とが用紙Ｓ上に印刷される。
【００３２】
また、印刷関連スクリプトの実行を終えると、テレビ側コントローラ１３は、印刷ボタンの映像ＩＭ５及び設定内容の映像ＩＭ６を消去した映像信号を生成し出力する。これにより、例えば図３Ｃに示すように、コンテンツのみの映像ＩＭ７が映像表示部１１に表示される。
【００３３】
＜まとめ＞
以上説明したように、この印刷システムにおけるテレビジョン受像機１０は、プリンタ２０からの回答の認識（通信状態の確立）を条件として、印刷ボタンの映像ＩＭ５と設定内容ＩＭ６の映像とを表示する。このため、印刷可能な情報の有無、及び、印刷がなされる際の設定内容を視聴者に表示できる。すなわち、印刷実行の指示に関連して、テレビジョン受像機１０における印刷の設定内容を視聴者に確認させることができる。 
そして、表示対象の設定内容を用紙Ｓのサイズや種類とした場合には、印刷前にこれらの情報を確認できるので、使い勝手の向上が図れる。なお、設定内容に関しては、用紙Ｓのサイズと種類の少なくとも一方を表示すればよい。
【００３４】
＝＝＝第２実施形態＝＝＝
前述した第１実施形態のテレビジョン受像機１０は、印刷に先立って設定内容を確認できる。このため、使い勝手を向上させることができる。ここで、表示された設定が所望の設定でなかった場合、直ちに設定の変更が行えれば、使い勝手のさらなる向上が図れる。第２実施形態は、このような点に着目してなされたものである。この第２実施形態は、テレビジョン受像機１０における、設定内容を変更するための表示や処理に特徴を有する。そして、ハードウェアの構成は、第１実施形態と同じである。そこで、第１実施形態と共通の内容については説明を省略し、特徴的な部分を中心に説明を行う。
【００３５】
図５Ａ及び図５Ｂは、第２実施形態の一例を説明する図である。図５Ａに示すように、映像表示部１１は、設定内容映像ＩＭ６と設定の変更を促す変更マークの映像ＩＭ１１とを一体に表示している。この実施形態では、視聴者による設定の変更要求を示す変更要求映像が、変更マークの映像ＩＭ１１と設定内容映像ＩＭ６とを有している。この例における変更マークの映像ＩＭ１１は、この例では上向き三角形や下向き三角形によるデザインが施されている。変更マークの映像ＩＭ１１を表示させる場合、テレビ側コントローラ１３は、印刷ボタンの映像信号及び設定内容の映像信号に加えて、変更マークの映像信号も生成し、映像表示部１１に出力する。
【００３６】
変更マークの映像ＩＭ１１は、リモコンや操作部によって選択することができる。そして、テレビ側コントローラ１３は、変更マークの映像ＩＭ１１に対する選択操作がなされたことを認識した場合に、変更処理を行う。この実施形態における変更処理は、テレビジョン受像機１０に記憶されている印刷設定情報を変更するための処理である。変更処理において、テレビ側コントローラ１３は、変更マークの映像ＩＭ１１に対する操作がなされる毎に、設定内容映像ＩＭ６に表示される設定内容を更新する。例えば、図５Ａの例において、上向きの三角形が操作された場合、設定内容映像ＩＭ６に表示される設定内容を１サイズ小さくする。反対に、下向きの三角形が操作された場合、設定内容映像ＩＭ６に表示される設定内容を１サイズ大きくする。
【００３７】
また、図５Ｂに示すように、設定変更用の選択映像ＩＭ１２を表示させるようにしてもよい。例示した選択映像ＩＭ１２は、カードサイズからＡ３サイズまでの複数種類の用紙サイズ（すなわち項目）を上下方向に並べたものであり、設定内容の映像ＩＭ６を含んでいる。選択映像ＩＭ１２における各項目は、リモコンや操作部によって選択することができる。
【００３８】
そして、或る項目が選択された場合、テレビ側コントローラ１３は、メモリ１３ｂに記憶されている内容を、選択された項目に書き換える。例えば図５Ｂの選択映像において、用紙サイズとしてＬ版が選択された場合、テレビ側コントローラ１３は、その旨を示す操作信号を取得する。そして、テレビ側コントローラ１３は、メモリ１３ｂに記憶されている設定内容の情報をＬ版に書き換える。
【００３９】
図６Ａ及び図６Ｂは、第２実施形態の他の例を説明する図である。図６Ａに示す例では、変更ボタンの映像ＩＭ１３が表示されている。変更ボタンの映像ＩＭ１３は、設定の変更を希望するときに視聴者によって選択されるもので、変更要求映像の一種である。このとき、テレビ側コントローラ１３は、変更ボタンの映像信号を生成して映像表示部１１へ出力する。この変更ボタンの映像ＩＭ１３に対して選択操作がなされると、テレビ側コントローラ１３は、その旨を示す操作信号を認識する。これに伴い、テレビ側コントローラ１３は、メニューの映像信号を生成して映像表示部１１へ出力する。その結果、図６Ｂに示すように、映像表示部１１の一部領域には、設定変更用のメニュー映像ＩＭ１４が表示される。このメニュー映像ＩＭ１４は、変更処理用の映像の一種である。このとき、そして、メニュー映像ＩＭ１４における選択項目を変更することで、設定を変更することができる。このとき、テレビ側コントローラ１３は、変更内容を示す操作信号を取得し、メモリ１３ｂに記憶されている設定内容の情報を、選択後の情報に書き換える。
【００４０】
この第２実施形態では、設定内容の映像ＩＭ６とともに変更の要求時に選択される変更マークの映像ＩＭ１１や変更ボタンの映像ＩＭ１３（変更要求映像）を表示し、これらの映像の選択によって印刷設定を変更できるように構成している。このため、印刷設定を変更したい場合に、速やかに変更を行うことができ、使い勝手の向上が図れる。
【００４１】
＝＝＝その他の実施形態＝＝＝
前述した実施形態は、プリンタ２０を有する印刷システムについて記載されているが、その中には、テレビジョン受像機、映像表示用コントローラ、印刷方法、及び、制御方法等の開示が含まれている。また、上記の実施形態は、本発明の理解を容易にするためのものであり、本発明を限定して解釈するためのものではない。本発明は、その趣旨を逸脱することなく、変更、改良され得ると共に、その等価物が含まれることはいうまでもない。例えば、以下の構成も本発明に含まれる。
【００４２】
＜印刷関連情報について＞
印刷関連情報に関し、前述した実施形態では、テレビ側コントローラ１３（通信部３２）とプリンタ２０とが通信可能な状態であるかを確認させるための確認コマンド（確認指令）を例示した。印刷関連情報は、印刷装置でなされる印刷に関連するものであればよい。例えば、表示対象のコンテンツが、印刷装置で印刷可能な情報を有する旨の情報であってもよい。
【００４３】
＜印刷対象となる情報について＞
前述の第１実施形態では、ＵＲＬ情報に基づいてプリンタ２０がサーバー３０へアクセスし、印刷用ファイルを取得していた。この点に関し、図７に示すように、印刷用ファイルをコンテンツデータ等と共に放送局ＢＣから送信してもよい（Ｓ１３´）。この場合、印刷指示の認識（Ｓ１８）に伴って、テレビジョン受像機１０はプリンタ２０に対して印刷用ファイルを送信する（Ｓ１９´）。このため、ネットワークＮＷが使用できない環境であっても印刷を行うことができる。また、テレビジョン受像機１０に蓄えた印刷用ファイルをプリンタ２０に出力するので、印刷を速やかに行うこともできる。
【００４４】
＜プリンタ２０との接続認識について＞
前述の第１実施形態において、テレビジョン受像機１０は、問い合わせに対するプリンタ２０からの回答を受信した場合に、印刷ボタンの映像ＩＭ５や設定内容映像ＩＭ６を表示していた。この構成では、テレビジョン受像機１０とプリンタ２０とが通信可能な状態にない場合、印刷ボタンの映像ＩＭ５等は表示されない。このため、視聴者は、印刷可能な情報があるにも関わらず、この情報の存在を知ることができなかった。
【００４５】
図８及び図９の実施形態は、このような事情に鑑みてなされたものであり、テレビジョン受像機１０（通信部３２）とプリンタ２０とが通信可能な状態にない場合、警告用の映像ＩＭ１５を映像表示部１１で表示するようにしている。例えば図８に示すように、テレビ側コントローラ１３は、印刷関連スクリプトに含まれる確認コマンドに基づき、プリンタ２０に対して問い合わせを行い（Ｓ１５）、図示しないタイマーを用いて問い合わせからの経過時間を計る。そして、所定の判断基準時間を経過してもプリンタ２０からの回答が得られなかった場合、プリンタ２０が通信可能な状態で接続されていないと判断する（Ｓ３１）。この判断により、テレビ側コントローラ１３は警告処理を行う（Ｓ３２）。この警告処理において、テレビ側コントローラ１３は、警告用映像の映像信号を生成する。ここで、警告用映像ＩＭ１５は、例えば図９の上半部分に示すような警告メッセージである。そして、テレビ側コントローラ１３は、この警告用映像の映像信号と、警告用映像を含まない映像とを交互に生成する。これにより、図９に模式的に示すように、警告用映像ＩＭ１５が点滅表示される。
【００４６】
その結果、視聴者は、プリンタ２０が接続されていないことを認識できる。また、警告用映像は、印刷関連スクリプトの実行に伴って表示されるので、視聴者は、印刷可能な情報が存在することも認識できる。さらに、警告用映像ＩＭ１５が表示される場合、設定内容映像ＩＭ６は表示されない。すなわち、警告用映像ＩＭ１５は、設定内容映像ＩＭ６に代えて表示される。このように構成することで、映像表示部１１の限られた表示領域を有効に使用することができる。
【００４７】
＜コントローラについて＞
前述の実施形態では、映像表示部１１とテレビ側コントローラ１３とを備えたテレビジョン受像機１を例に挙げて説明した。この点に関し、映像表示部１１とテレビ側コントローラ１３とをそれぞれ別個の装置として構成し、通信可能に接続してもよい。例えば、テレビ側コントローラ１３の機能を備えた映像表示用コントローラとしてもよい。
【図面の簡単な説明】
【００４８】
【図１】コンテンツ情報の印刷システムと周辺部を説明するブロック図である。
【図２】印刷システムの動作を説明する図である。
【図３】図３Ａは、通常のコンテンツにおける表示映像の例を説明する図である。図３Ｂは、印刷情報があるコンテンツにおける表示映像の例を説明する図である。図３Ｃは、通常のコンテンツにおける表示映像の他の例を説明する図である。
【図４】印刷情報の一例を説明する図である。
【図５】図５Ａは、変更マークの映像例を説明する図である。図５Ｂは、設定変更用の選択映像の例を説明する図である。
【図６】図６Ａは、変更ボタンの映像例を説明する図である。図６Ｂは、設定変更用のメニュー映像の例を説明する図である。
【図７】印刷用ファイルをテレビジョン受像機からプリンタに出力する実施形態を説明する図である。
【図８】プリンタとの通信ができない場合に警告処理を行うようにした実施形態を説明する図である。
【図９】警告用の映像の表示例である。
【符号の説明】
【００４９】
１０  テレビジョン受像機，１１  映像表示部，１２  音声出力部，
１３  テレビ側コントローラ，１３ａ  ＣＰＵ，１３ｂ  メモリ，
１４  通信部，
２０  プリンタ，２１  通信部，２２  プリンタ側コントローラ，
２３  プリントエンジン，
３０  サーバー，３１  サーバー側コントローラ，
３１ａ  ＣＰＵ，３１ｂ  メモリ，３２  通信部，
ＲＶ  受信部，ＲＴ  ルーター，ＮＷ  ネットワーク，
ＩＭ１〜ＩＭ１５，映像
【図１】
2009049710.tif 000003
【図２】
2009049710.tif 000004
【図３】
2009049710.tif 000005
【図４】
2009049710.tif 000006
【図５】
2009049710.tif 000007
【図６】
2009049710.tif 000008
【図７】
2009049710.tif 000009
【図８】
2009049710.tif 000010
【図９】
2009049710.tif 000011